(57)【特許請求の範囲】
【請求項１】
複数の蓄電素子と、
前記複数の蓄電素子のそれぞれが収容される複数のキャビティが並んで形成された保持部材と、を備え、
前記保持部材の外壁は、前記複数のキャビティのそれぞれと外部とを連通する外壁開口部を有し、前記外壁開口部からは、前記複数のキャビティ内に収容された前記複数の蓄電素子の外面が前記外壁から露出しており、
前記保持部材は、前記複数のキャビティのうち並び方向について２段に並べられた第１キャビティ列と、前記複数のキャビティのうち前記並び方向と交差する方向にずれた位置において前記並び方向について２段に並べられた第２キャビティ列と、を有しており、さらに前記保持部材は、前記第１キャビティ列と前記第２キャビティ列との間を仕切る列間仕切壁と、前記並び方向に並べられた前記複数のキャビティの間を仕切る層間仕切壁と、を有しており、
前記複数の蓄電素子のそれぞれは、一対の電極端子が形成された電極面を有しており、
前記第１キャビティ列に収容された前記複数の蓄電素子の前記電極面と、前記第２キャビティ列に収容された前記複数の蓄電素子の前記電極面とが、互いに反対方向を向いた状態で、前記複数の蓄電素子が前記保持部材に配されており、
前記第１キャビティ列に配された蓄電素子の電極端子と、前記第２キャビティ列に配された蓄電素子の電極端子とは、バスバーによって電気的に接続されており、
前記層間仕切壁は、前記層間仕切壁を貫通する層間開口部を有しており、
前記列間仕切壁は前記層間開口部を貫通する部分を有しており、前記列間仕切壁のうち前記層間開口部を貫通する部分は前記複数の蓄電素子との間に隙間を形成する凹部を有しており、前記凹部は前記外壁開口部から前記保持部材の外部に露出している蓄電モジュール。
【請求項２】
前記列間仕切壁は前記第１キャビティ列と前記第２キャビティ列とを連通する列間開口部を有する請求項１に記載の蓄電モジュール。
【請求項３】
前記複数のキャビティのそれぞれの内壁には内方に突出するリブが形成されており、
前記複数の蓄電素子は、前記リブと当接することにより、前記複数のキャビティの内壁との間に隙間を有した状態で前記複数のキャビティの内部に収容されている請求項１、または請求項２に記載の蓄電モジュール。
【発明の詳細な説明】
【技術分野】
【０００１】
本発明は、蓄電モジュールに関する。
【背景技術】
【０００２】
従来、電気自動車やハイブリッド車等の電源として、複数の蓄電素子を並べてなる蓄電モジュールが知られている（特許文献１参照）。この蓄電モジュールにおいては、複数の蓄電素子が一列に並べて配された状態で、蓄電素子の電極同士が接続されている。
【先行技術文献】
【特許文献】
【０００３】
【特許文献１】特開２０１０−２２５４４９号公報
【発明の概要】
【発明が解決しようとする課題】
【０００４】
蓄電素子は、充放電時に発熱する。このため、従来技術に記載された蓄電モジュールのように複数の蓄電素子が一列に並べられた構成においては、列の中央付近に配された蓄電素子の近傍において、複数の蓄電素子が発した熱がこもってしまい、局所的に高温になることが懸念される。すると、充放電性能の劣化の進行が他の蓄電素子よりも速くなることが懸念される。更に、例えば、複数の蓄電素子が並べられた状態でケース内に保持されているような場合には、一層、問題となる。
【０００５】
本発明は上記のような事情に基づいて完成されたものであって、放熱性に優れた蓄電モジュールを提供することを目的とする。
【課題を解決するための手段】
【０００６】
本発明に係る蓄電モジュールは、複数の蓄電素子と、前記複数の蓄電素子のそれぞれが収容される複数のキャビティが並んで形成された保持部材と、を備え、前記保持部材の外壁は、前記複数のキャビティのそれぞれと連通する外壁開口部を有し、前記外壁開口部からは、前記複数のキャビティ内に収容された前記複数の蓄電素子の外面が前記外壁から露出しており、前記保持部材は、前記複数のキャビティのうち並び方向について２段に並べられた第１キャビティ列と、前記複数のキャビティのうち前記並び方向と交差する方向にずれた位置において前記並び方向について２段に並べられた第２キャビティ列と、を有する。
【０００７】
本発明によれば、保持部材の外壁に形成された外壁開口部から、外部の空気が保持部材の内部に流入する。外壁開口部には、蓄電素子の外面が露出しているので、蓄電素子の外面は外壁開口部から流入した空気によって確実に冷却される。これにより、蓄電素子が高温になることを抑制することができる。このように本実施形態によれば、蓄電モジュールの放熱性を向上させることができる。
【０００８】
一方、保持部材の内部において、蓄電素子の発熱により暖められた空気は、外壁開口部から保持部材の外部に流出することができる。これにより、保持部材の内部が局所的に高温になることを抑制することができる。
【０００９】
また、第１キャビティ列及び第２キャビティ列には、キャビティが２段に並べられている。これにより、２つの蓄電素子が上下方向に並ぶ配置となっている。そして、蓄電素子の外面は外壁開口部から保持部材の外部に臨んでいるので、複数の蓄電素子の間に挟まれて、熱がこもる配置となるような蓄電素子が存在しないようになっている。この結果、蓄電素子が高温になることを抑制することができる。
【００１０】
また、複数の蓄電素子は、第１キャビティ列のキャビティ、第２キャビティ列のキャビティの内部に収容されるようになっている。これにより、放熱性が向上された状態で、４つの蓄電素子を保持部材に収容することができる。この結果、比較的に高い電圧が求められる場合には蓄電素子を直列つなぎすればよく、また、比較的に長い寿命が求められる場合には蓄電素子を並列つなぎすればよく、また、求められる条件によっては、直列つなぎと並列つなぎを併存させる構成とすることができる。
【００１１】
また、本発明に係る蓄電モジュールは、複数の蓄電素子と、前記複数の蓄電素子のそれぞれが収容される複数のキャビティが並んで形成された保持部材と、を備え、前記保持部材の外壁は、前記複数のキャビティのそれぞれと連通する外壁開口部を有し、前記外壁開口部からは、前記複数のキャビティ内に収容された前記複数の蓄電素子の外面が前記保持部材の外部に露出しており、前記保持部材は、並び方向について前記複数のキャビティが２段または３段に並べられたキャビティ列を有する。
【００１２】
本発明によれば、１つのキャビティ列においては、２つ又は３つのキャビティが上下方向に並んでいる。このため、キャビティ列における上下方向の中央付近においては、比較的に熱がこもりやすくなっている。
【００１３】
そこで本発明においては、外壁開口部から蓄電素子の外面が露出する構成となっている。これにより、上側及び下側に配された蓄電素子は外壁開口部から保持部材の内部に流入する空気によって冷却される。このため、上下方向について中央付近に配された蓄電素子で発生した熱は、上側に配された蓄電素子、及び下側に配された蓄電素子を介して、保持部材の外部へと放散されるようになっている。この結果、キャビティ列における上下方向の中央付近が局所的に高温になることを抑制することができる。
【００１４】
本発明の実施態様としては以下の態様が好ましい。
【００１５】
前記複数の蓄電素子のそれぞれは、一対の電極端子が形成された電極面を有しており、前記第１キャビティ列に収容された前記複数の蓄電素子の前記電極面と、前記第２キャビティ列に収容された前記複数の蓄電素子の前記電極面とが、互いに反対方向を向いた状態で、前記複数の蓄電素子が前記保持部材に配されていることが好ましい。
【００１６】
上記の態様によれば、複数の蓄電素子を保持部材内にコンパクトに収容することができる。蓄電素子をコンパクトに収容すると、保持部材の内側に熱がこもりやすくなるので、本態様は、このような構成において特に有効である。
【００１７】
前記保持部材は、前記第１キャビティ列と前記第２キャビティ列との間を仕切る列間仕切壁を有し、前記列間仕切壁は前記第１キャビティ列と前記第２キャビティ列とを連通する列間開口部を有する。
【００１８】
上記の態様によれば、第１キャビティ列を構成するキャビティと、第２キャビティ列を構成するキャビティとの間を空気が流通することができるので、保持部材の内部が局所的に高温になることを一層、抑制することができる。
【００１９】
前記保持部材は、並び方向に並べられた前記複数のキャビティの間を仕切る層間仕切壁を有し、前記層間仕切壁は、前記層間仕切壁を貫通する層間開口部を有する。
【００２０】
上記の態様によれば、並び方向に並べられた複数のキャビティ間を空気が流通することができるので、保持部材の内部が局所的に高温になることを一層、抑制することができる。
【００２１】
前記複数のキャビティのそれぞれの内壁には内方に突出するリブが形成されており、前記複数の蓄電素子は、前記リブと当接することにより、前記複数のキャビティの内壁との間に隙間を有した状態で前記複数のキャビティの内部に収容されている。
【００２２】
上記の態様によれば、蓄電素子の外面と、キャビティの内壁との間に形成された隙間には、空気が流通することができる。この結果、外壁開口部から保持部材内に流入した空気が、蓄電素子の外面と広く接することにより、蓄電素子を確実に冷却することができる。
【発明の効果】
【００２３】
本発明によれば、蓄電モジュールの放熱性を向上させることができる。
【図面の簡単な説明】
【００２４】
【図１】実施形態１に係る蓄電モジュールを示す斜視図
【図２】蓄電モジュールを示す分解斜視図
【図３】第１カバーを示す斜視図
【図４】保持部材を示す斜視図
【図５】蓄電モジュールを示す平面図
【図６】蓄電モジュールを示す底面図
【図７】図１４におけるＶＩＩ−ＶＩＩ線断面図
【図８】蓄電モジュールを示す後側面図
【図９】蓄電モジュールを示す前側面図
【図１０】蓄電モジュールを示す右側面図
【図１１】保持部材を示す右側面図
【図１２】保持部材を示す平面図
【図１３】保持部材を示す底面図
【図１４】保持部材を示す前側面図
【図１５】図１３におけるＸＶ−ＸＶ線断面図
【図１６】実施形態２に係る蓄電モジュールの保持部材を示す断面図
【発明を実施するための形態】
【００２５】
＜実施形態１＞
本発明の実施形態１を、図１ないし図１５を参照しつつ説明する。本実施形態は、複数の蓄電素子１０を有する蓄電モジュール１１である。本実施形態に係る蓄電モジュール１１は、自動車、電気自動車、又はハイブリッド車等の車両（図示せず）の、電源又は補助電源として用いることができる。以下の説明では、Ｘ方向を右方とし、Ｙ方向を前方とし、Ｚ方向を上方とする。
【００２６】
なお、上記の方向は、実施形態を説明する便宜のために使用するのであって、本実施形態に係る蓄電モジュール１１は、必要に応じて任意の姿勢で車両に取り付けることができる。
【００２７】
（保持部材１２）
図１及び図２に示すように、蓄電モジュール１１は、前後方向、及び左右方向に比べて、上下方向について比較的に薄い扁平な直方体形状をなしている。蓄電モジュール１１は、前後方向に開口する合成樹脂製の保持部材１２を有する。保持部材１２の前側の開口は合成樹脂製の第１カバー１３が取り付けられることにより塞がれている。第１カバー１３と保持部材１２とは、保持部材１２の前側の開口端部に形成されたロック部１４と、第１カバー１３に形成されたロック受け部１５とが、弾性的に係合することにより組み付けられている。第１カバー１３の前面には、回路基板１６がボルト１８により固定されている。
【００２８】
また、保持部材１２の後側の開口は合成樹脂製の第２カバー１７が取り付けられることにより塞がれている。第２カバー１７と保持部材１２とは、保持部材１２の後側の開口端部に形成されたロック部１４と、第２カバー１７に形成されたロック受け部１５とが、弾性的に係合することにより組み付けられている。第２カバー１７の後面には、回路基板１６がボルト１８により固定されている。
【００２９】
第１カバー１３に取り付けられた回路基板１６と、第２カバー１７に取り付けられた回路基板１６には、複数の蓄電素子１０の状態（例えば、電圧、電流、温度等）を判断するための回路が形成されている。
【００３０】
図４に示すように、保持部材１２には、複数の蓄電素子１０を収容するための複数のキャビティ１９が形成されている。保持部材１２の前側には、前方に開口すると共に、上下方向（並び方向に相当）に２段に並べられた第１キャビティ列２０が形成されている。第１キャビティ列２０のキャビティ１９は、前方に開口している。
【００３１】
保持部材１２の後側には、後方に開口すると共に、上下方向に（並び方向に相当）に２段に並べられた第２キャビティ列２１が形成されている。第２キャビティ列２１のキャビティ１９は後方に開口している。
【００３２】
第１キャビティ列２０と、第２キャビティ列２１とは、上下方向と交差する方向にずれた位置に形成されている。本実施形態では、第１キャビティ列２０と第２キャビティ列２１とは、前後方向にずれて形成されている。
【００３３】
保持部材１２には、第１キャビティ列２０において、上下方向に並ぶ２つのキャビティ１９の間を仕切る層間仕切壁２２が形成されている。また、保持部材１２には、第２キャビティ列２１においても、上下方向に並ぶ２つのキャビティ１９の間を仕切る層間仕切壁２２が形成されている。
【００３４】
また、保持部材１２には、第１キャビティ列２０を構成するキャビティ１９と、第２キャビティ列２１を構成するキャビティ１９との間を仕切る列間仕切壁２３が形成されている。
【００３５】
（蓄電素子１０）
図２に示すように、それぞれのキャビティ１９内には、蓄電素子１０が収容されている。蓄電素子１０は、前後方向、及び左右方向に比べて、上下方向について比較的に薄い扁平な直方体形状をなしている。蓄電素子１０は、正極端子及び負極端子からなる一対の電極端子２４が突出して形成されている電極面２５、この電極面２５と反対側に位置する底面２６、上下方向を向く一対の長側面２７、及び、左右方向を向く一対の短側面２８を有する。
【００３６】
第１キャビティ列２０を構成するキャビティ１９内に配された蓄電素子１０は、電極面２５が前方を向く姿勢で配されている。また、第２キャビティ列２１を構成するキャビティ１９内に配された蓄電素子１０は、電極面２５が後方を向く姿勢で配されている。このように、第１キャビティ列２０のキャビティ１９内に配された蓄電素子１０の電極面２５と、第２キャビティ列２１のキャビティ１９内に配された蓄電素子１０の電極面２５とは、反対方向を向いている。また、第１キャビティ列２０のキャビティ１９内に配された蓄電素子１０の底面２６と、第２キャビティ列２１のキャビティ１９内に配された蓄電素子１０の底面２６とは、対向している。
【００３７】
本実施形態に係る蓄電素子１０としては、例えば、リチウムイオンキャパシタを使用することができる。また、蓄電素子１０としては、リチウムイオン二次電池を用いることもできる。また、蓄電素子１０としては、上記以外に、電気二重層キャパシタ、ニッケル水素二次電池等、必要に応じて任意の蓄電素子を使用することができる。
【００３８】
電極端子２４は電極面２５から突出して形成されている。電極端子２４は金属製であって、表面にねじ山が形成されている。上下に隣り合う蓄電素子１０の電極端子２４同士は、第１バスバー２９に形成された貫通孔３０内に挿通された状態でナット３１によりねじ止めされることにより、電気的に接続されるようになっている。
【００３９】
また、図５に示すように、第１キャビティ列２０のキャビティ１９内に配された蓄電素子１０の電極端子２４と、第２キャビティ列２１のキャビティ１９内に配された蓄電素子１０の電極端子２４とは、第２バスバー３２によって電気的に接続されている。第２バスバー３２は、保持部材１２の上面に沿うように配されて、保持部材１２の前面側の電極端子２４と、後面側の電極端子２４とを、接続するようになっている。電極端子２４と第２バスバー３２とは、第２バスバー３２に形成された貫通孔３３内に電極端子２４が挿通されて、ナット３１によりねじ止めされることにより電気的に接続されるようになっている。
【００４０】
図８及び図９に示すように、第１キャビティ列２０側の蓄電素子１０の電極端子２４と、第２キャビティ列２１側の蓄電素子１０の電極端子２４には、それぞれ、外部機器（図示せず）と電気的に接続するための出力バスバー３４が取り付けられている。電極端子２４と、出力バスバー３４とは、出力バスバー３４に形成された貫通孔３５内に電極端子２４が挿通されて、ナット３１によりねじ止めされることにより電気的に接続されるようになっている。
【００４１】
図３に示すように、第１カバー１３には、前後方向に第１カバー１３を貫通する３つの窓部４４が形成されている。この窓部４４内に、第１バスバー２９、第２バスバー３２のうち電極端子２４に接続される部分、及び、出力バスバー３４のうち電極端子２４に接続される部分が収容される。また、第２カバー１７にも、同様に窓部４４が形成されている。
【００４２】
（放熱構造）
図４に示すように、保持部材１２の外壁には、保持部材１２の上面（長側面３８）、下面（長側面３８）、右側面（短側面３７）、及び左側面（短側面３７）に、キャビティ１９と連通する外壁開口部３６が形成されている。図５及び図６に示すように、キャビティ１９内に蓄電素子１０が収容された状態では、蓄電素子１０の外面は、外壁開口部３６から保持部材１２の外部に露出するようになっている。空気は、外壁開口部３６からキャビティ１９内に流入することが可能となっている。また、空気は、キャビティ１９内から外壁開口部３６を通じて流出することも可能となっている。
【００４３】
保持部材１２の外壁のうち、左右方向を向く各短側面３７には、前後方向に並んで、長方形状をなす２つの外壁開口部３６Ａが形成されている。各外壁開口部３６Ａは、それぞれ、第１キャビティ列２０と、第２キャビティ列２１に対応する位置に形成されている。
【００４４】
保持部材１２の外壁のうち、各長側面３８には、左右方向に並んで、長方形状をなす２つの外壁開口部３６Ｂが形成されている。各外壁開口部３６Ｂは、保持部材１２の長側面３８において、それぞれ、第１キャビティ列２０及び第２キャビティ列２１に亘って形成されている。
【００４５】
図７、図１１、図１４及び図１５に示すように、キャビティ１９の内壁には、複数のリブ３９が、内方に突出して形成されている。リブ３９は前後方向に延びて形成されている。これにより、キャビティ１９内に蓄電素子１０を収容する際に必要とされる力を減少させることができるようになっている。リブ３９は、保持部材１２の長側面３８の内側の壁面と、層間仕切壁２２の壁面に形成されている。それぞれの壁面には、３つのリブ３９が、列間仕切壁２３寄りの位置に、左右方向に間隔をあけて並んで形成されている。
【００４６】
更に、図１２及び図１３に示すように、列間仕切壁２３の左右方向の両端部寄りの位置には、凹部４０が形成されている。この凹部４０が形成された部分においては、列間仕切壁２３と蓄電素子１０の底面２６との間に隙間４１Ｂが形成されるようになっている。
【００４７】
図１０に示すように、キャビティ１９の内部に蓄電素子１０が収容された状態では、蓄電素子１０の外面とリブ３９とが当接することにより、蓄電素子１０の外面と、キャビティ１９の内壁との間には隙間４１Ａが形成されるようになっている。外壁開口部３６から流入した空気や、外壁開口部３６から流出しようとする空気は、この隙間４１Ａの中を流れることができるようになっている。これにより、蓄電素子１０の外面は、流通する空気によって冷却されるようになっている。
【００４８】
層間仕切壁２２には、上下方向に並ぶキャビティ１９間を連通する層間開口部４２が、層間仕切壁２２を貫通して形成されている。これにより、上下方向に並ぶキャビティ１９間を空気が流通することができるようになっている。各層間仕切壁２２は、左右方向に並ぶ２つの層間開口部４２を有する。
【００４９】
層間開口部４２の口縁は、保持部材１２の短側面３７（右側面、及び左側面）に形成された外壁開口部３６Ａに臨むようになっている。これにより、外壁開口部３６Ａから流入した空気は、確実に、各キャビティ１９内に流入することができるようになっている。また、各キャビティ１９内に流入した空気は、確実に、外壁開口部３６Ａから外部に流出することができるようになっている。
【００５０】
列間仕切壁２３には、第１キャビティ列２０を構成するキャビティ１９と、第２キャビティ列２１を構成するキャビティ１９とを連通する列間開口部４３が形成されている。この列間開口部４３により、第１キャビティ列２０を構成するキャビティ１９と、第２キャビティ列２１を構成するキャビティ１９との間を空気が流出し、又は流入することができるようになっている。列間仕切壁２３は、上下方向に並ぶ２つの列間開口部４３を有する。列間開口部４３は左右方向に細長い形状をなしている。
【００５１】
（本実施形態の作用、効果）
続いて、本実施形態の作用、効果について説明する。本実施形態に係る蓄電モジュール１１は、複数の蓄電素子１０と、複数の蓄電素子１０のそれぞれが収容される複数のキャビティ１９が並んで形成された保持部材１２と、を備え、保持部材１２の外壁は、複数のキャビティ１９のそれぞれと連通する外壁開口部３６を有し、外壁開口部３６からは、複数のキャビティ１９内に収容された複数の蓄電素子１０の外面が保持部材１２の外部に露出しており、保持部材１２は、複数のキャビティ１９のうち並び方向について２段に並べられた第１キャビティ列２０と、複数のキャビティ１９のうち並び方向と交差する方向にずれた位置において並び方向について２段に並べられた第２キャビティ列２１と、を有する。
【００５２】
保持部材１２の外壁に形成された外壁開口部３６から、外部の空気が保持部材１２の内部に流入する。外壁開口部３６には、蓄電素子１０の外面が露出しているので、蓄電素子１０の外面は外壁開口部３６から流入した空気によって確実に冷却される。これにより、蓄電素子１０が高温になることを抑制することができる。このように本実施形態によれば、蓄電モジュール１１の放熱性を向上させることができる。
【００５３】
一方、保持部材１２の内部において、蓄電素子１０の発熱により暖められた空気は、外壁開口部３６から保持部材１２の外部に流出することができる。これにより、保持部材１２の内部が局所的に高温になることを抑制することができる。
【００５４】
また、第１キャビティ列２０及び第２キャビティ列２１には、キャビティ１９が２段に並べられている。これにより、２つの蓄電素子１０が上下方向に並ぶ配置となっている。そして、蓄電素子１０の外面は外壁開口部３６から保持部材１２の外部に臨んでいるので、複数の蓄電素子１０の間に挟まれて、熱がこもる配置となるような蓄電素子１０が存在しないようになっている。この結果、蓄電素子１０が高温になることを抑制することができる。
【００５５】
また、複数の蓄電素子１０は、第１キャビティ列２０のキャビティ１９、第２キャビティ列２１のキャビティ１９の内部に収容されるようになっている。これにより、放熱性が向上された状態で、４つの蓄電素子１０を保持部材１２に収容することができる。この結果、比較的に高い電圧が求められる場合には蓄電素子１０を直列つなぎすればよく、また、比較的に長い寿命が求められる場合には蓄電素子１０を並列つなぎすればよく、また、求められる条件によっては、直列つなぎと並列つなぎを組み合わせて、複数の蓄電素子１０を電気的に接続する構成とすることができる。
【００５６】
また、本実施系形態によれば、複数の蓄電素子１０のそれぞれは、一対の電極端子２４が形成された電極面２５を有しており、第１キャビティ列２０に収容された複数の蓄電素子１０の電極面２５と、第２キャビティ列２１に収容された複数の蓄電素子１０の電極面２５とが、互いに反対方向を向いた姿勢で、複数の蓄電素子１０が保持部材１２に配されている。
【００５７】
これにより、複数の蓄電素子１０を保持部材１２内にコンパクトに収容することができる。蓄電素子１０をコンパクトに収容すると、保持部材１２の内側に熱がこもりやすくなるので、本構成は、このような構成において特に有効である。
【００５８】
本実施形態によれば、保持部材１２は、第１キャビティ列２０と第２キャビティ列２１との間を仕切る列間仕切壁２３を有し、列間仕切壁２３は第１キャビティ列２０と第２キャビティ列２１とを連通する列間開口部４３を有する。
【００５９】
これにより、第１キャビティ列２０を構成するキャビティ１９と、第２キャビティ列２１を構成するキャビティ１９との間を空気が流通することができるので、保持部材１２の内部が局所的に高温になることを一層、抑制することができる。
【００６０】
本実施形態によれば、保持部材１２は、並び方向に並べられた複数のキャビティ１９の間を仕切る層間仕切壁２２を有し、層間仕切壁２２は、層間仕切壁２２を貫通する層間開口部４２を有する。
【００６１】
これにより、並び方向に並べられた複数のキャビティ１９間を空気が流通することができるので、保持部材１２の内部が局所的に高温になることを一層、抑制することができる。
【００６２】
本実施形態によれば、複数のキャビティ１９のそれぞれの内壁には内方に突出するリブ３９が形成されており、複数の蓄電素子１０は、リブ３９と当接することにより、複数のキャビティ１９の内壁との間に隙間４１Ａを有した状態で複数のキャビティ１９の内部に収容されている。
【００６３】
これにより、蓄電素子１０の外面と、キャビティ１９の内壁との間に形成された隙間４１Ａには、空気が流通することができる。この結果、外壁開口部３６から保持部材１２内に流入した空気が、蓄電素子１０の外面と広く接することにより、蓄電素子１０を確実に冷却することができる。
【００６４】
＜実施形態２＞
次に、本発明の実施形態２に係る蓄電モジュール５０を、図１６を参照しつつ説明する。本実施形態においては、複数のキャビティ５１は上下方向について３段に並んで形成されている。これにより、３つの蓄電素子１０が上下方向に並んで配されるようになっている。上記以外の構成については、実施形態１と略同様なので、同一部材については同一符号を付し、重複する説明を省略する。
【００６５】
本実施形態に係る蓄電モジュール５０は、複数の蓄電素子１０と、複数の蓄電素子１０のそれぞれが収容される複数のキャビティ５１が並んで形成された保持部材５２と、を備え、保持部材５２の外壁は、複数のキャビティ５１のそれぞれと連通する外壁開口部３６Ａ，３６Ｂを有し、外壁開口部３６Ａ，３６Ｂからは、複数のキャビティ５１内に収容された複数の蓄電素子１０の外面が保持部材５２の外部に露出しており、保持部材５２は、上下方向（並び方向に相当）について複数のキャビティ５１が３段に並べられたキャビティ列５４を有する。
【００６６】
本実施形態によれば、１つのキャビティ列５４においては、３つのキャビティ５１が上下方向に並んでいる。このため、上下方向について中央に配された蓄電素子１０については、上側及び下側に配された蓄電素子１０に比べて熱がこもりやすくなっている。
【００６７】
そこで本実施形態においては、外壁開口部３６Ａ，３６Ｂから蓄電素子１０の外面が露出しているので、上側及び下側に配された蓄電素子１０は外壁開口部３６Ａ，３６Ｂから保持部材５２の内部に流入する空気によって冷却される。このため、上下方向について中央に配された蓄電素子１０で発生した熱は、上側に配された蓄電素子１０、及び下側に配された蓄電素子１０を介して、保持部材５２の外部へと放散されるようになっている。この結果、上下方向の中央に配された蓄電素子１０が局所的に高温になることを抑制することができる。
【００６８】
＜他の実施形態＞
本発明は上記記述及び図面によって説明した実施形態に限定されるものではなく、例えば次のような実施形態も本発明の技術的範囲に含まれる。
【００６９】
（１）本実施形態においては、第１キャビティ列２０に収容された蓄電素子１０の電極面２５と、第２キャビティ列２１に収容された蓄電素子１０の電極面２５とは、互いに反対方向を向く姿勢とされていたが、これに限られず、第１キャビティ列２０に収容された蓄電素子１０の電極面２５と、第２キャビティ列２１に収容された蓄電素子１０の電極面２５とは、必要に応じて、任意の方向を向く姿勢とすることができる。
【００７０】
（２）本実施形態においては、列間仕切壁２３は列間開口部４３を有する構成としたが、これに限られず、列間仕切壁２３は列間開口部４３を有しない構成としてもよい。
【００７１】
（３）本実施形態においては、層間仕切壁２２は層間開口部４２を有する構成としたが、これに限られず、層間仕切壁２２は層間開口部４２を有しない構成としてもよい。
【００７２】
（４）本実施形態においては、キャビティ１９の内壁にはリブ３９が形成される構成としたが、リブ３９は省略してもよい。
【００７３】
（５）各キャビティ列には、キャビティが３段以上に並べられていてもよい。
【００７４】
（６）保持部材１２は、３つ以上のキャビティ列を有する構成としてもよい。
【００７５】
（７）複数の蓄電素子１０は直列つなぎとしてもよく、また、並列つなぎとしてもよく、また、直列つなぎと並列つなぎを混在させる構成としてもよい。
【符号の説明】
【００７６】
１０：蓄電素子
１１，５０：蓄電モジュール
１２，５２：保持部材
１９，５１：キャビティ
２０：第１キャビティ列
２１：第２キャビティ列
２２：層間仕切壁
２３：列間仕切壁
２４：電極端子
２５：電極面
３６，５３：外壁開口部
３９：リブ
４１Ａ：隙間
４２：層間開口部
４３：列間開口部
５４：キャビティ列
【図１】
0006436344.tif 000002
【図２】
0006436344.tif 000003
【図３】
0006436344.tif 000004
【図４】
0006436344.tif 000005
【図５】
0006436344.tif 000006
【図６】
0006436344.tif 000007
【図７】
0006436344.tif 000008
【図８】
0006436344.tif 000009
【図９】
0006436344.tif 000010
【図１０】
0006436344.tif 000011
【図１１】
0006436344.tif 000012
【図１２】
0006436344.tif 000013
【図１３】
0006436344.tif 000014
【図１４】
0006436344.tif 000015
【図１５】
0006436344.tif 000016
【図１６】
0006436344.tif 000017